(57)【特許請求の範囲】
【請求項１】
失禁用保護物、生理用ナプキン、パンティーライナ、開放式おむつ、またはパンツ式おむつなどの、長手方向（ｘ）および短手方向（ｙ）を有する吸収性物品（１）であって、
前記吸収性物品（１）は、前部分（３）と、
後ろ部分（４）と、
前記吸収性物品（1）の長手方向（ｘ）において、前記前部分（３）と前記後ろ部分（４）との間に位置し、前記前部分（３）と前記後ろ部分（４）とに接する中心部分（５）と、
少なくとも前記中心部分（５）に存在する複数の大小の固着点（１６、１７）を用いて下地層に接合される液体透過性のトップシート（１０）であって、小さい固着点（１７）は、表面積が０．０１〜２．５平方ミリメートルの範囲にあり、大きい固着点（１６）は、表面積が２．５平方ミリメートル超であり、カラー印刷パターンが、前記吸収性物品（１）のトップシート側において見える、液体透過性のトップシート（１０）と、
を含み、
前記印刷された表面積の周縁部を越えて延在しないように直径１．５ミリメートルの平円形をマッピングできる前記カラー印刷パターンの印刷された表面積全体は、１つまたは複数の連続着色領域（２０）であって、少なくとも前記中心部分（５）に存在する連続着色領域（２０）を画定し、前記吸収性物品（１）の少なくとも前記中心部分（５）内の各連続着色領域（２０）には、実質的に、大きい固着点（１６）がないことを特徴とする、吸収性物品。
【請求項２】
前記吸収性物品（１）の各連続着色領域（２０）には、実質的に、大きい固着点（１６）がないことを特徴とする、請求項１に記載の吸収性物品。
【請求項３】
前記１つまたは複数の連続着色領域（２０）の外側に位置した前記カラー印刷パターンの表面積全体が、１つまたは複数の非連続着色領域（２７）を画定し、前記１つまたは複数の非連続着色領域（２７）内に位置した前記固着点（１６、１７）のうちの少なくとも３０％、具体的には、少なくとも５０％、より具体的には、少なくとも７０％が、大きい固着点（１６）であることを特徴とする、請求項１または２に記載の吸収性物品。
【請求項４】
前記１つまたは複数の非連続着色領域（２７）は、直径７ミリメートルの平円形をマッピングするとともに前記１つまたは複数の連続着色領域（２０）の一部を形成しない印刷された表面積を重ね合わせることができるトップシートの表面積全体に相当することを特徴とする、請求項３に記載の吸収性物品。
【請求項５】
前記吸収性物品は、前記吸収性物品（１）の前記長手方向（ｘ）に延在し長手方向中心線（２２）を中心とする細長い中央部区分（２１）と、
前記吸収性物品（１）の前記長手方向（ｘ）に延在する２つの細長い側部区分（２３）であって、１つの側部区分（２３）が、前記中央部区分（２１）の各側部に位置し、前記中央部区分（２１）の側方縁部（３３）から前記吸収性物品（１）の側方縁部（２５）へと短手方向（ｙ）に延在する、２つの細長い側部区分（２３）と、
を含み、
前記短手方向（ｙ）における前記中央部区分（２１）の長さが、前記短手方向（ｙ）における前記吸収性物品（１）の最大長さ（２６）の１０〜６０％、具体的には、１５〜５０％、より具体的には、２０〜４０％の範囲にあり、
前記中央部区分（２１）の前記中心部分（５）内に位置した、８０〜１００％、具体的には、９０〜１００％、より具体的には、すべての固着点（１６、１７）が、大きい固着点（１６）であり、
前記側部区分（２３）の前記中心部分（５）内に位置した、８０〜１００％、具体的には、９０〜１００％、より具体的には、すべての固着点（１６、１７）が、小さい固着点（１７）であることを特徴とする、請求項１から４のいずれか一項に記載の吸収性物品。
【請求項６】
前記吸収性物品は、前記吸収性物品（１）の前記長手方向（ｘ）に延在し長手方向中心線（２２）を中心とする細長い中央部区分（２１）と、
前記吸収性物品（１）の前記長手方向（ｘ）に延在する２つの細長い側部区分（２３）であって、１つの側部区分（２３）が、前記中央部区分（２１）の各側部に位置し、前記中央部区分（２１）の側方縁部（３３）から前記吸収性物品（１）の側方縁部（２５）へと短手方向（ｙ）に延在する、２つの細長い側部区分（２３）と、
を含み、
前記短手方向（ｙ）における前記中央部区分（２１）の長さが、前記短手方向（ｙ）における前記吸収性物品（１）の最大長さ（２６）の１０〜６０％、具体的には、１５〜５０％、より具体的には、２０〜４０％の範囲にあり、
前記吸収性物品（１）の前記中心部分（５）内の前記１つまたは複数の連続着色領域（２０）の少なくとも７５％の、具体的には、少なくとも９０％の、より具体的には、全体の表面積が、前記側部区分（２３）のうちのいずれかに位置していることを特徴とする、
請求項１から５のいずれか一項に記載の吸収性物品。
【請求項７】
前記吸収性物品は、前記吸収性物品（１）の前記長手方向（ｘ）に延在し長手方向中心線（２２）を中心とする細長い中央部区分（２１）と、
前記吸収性物品（１）の前記長手方向（ｘ）に延在する２つの細長い側部区分（２３）であって、１つの側部区分（２３）が、前記中央部区分（２１）の各側部に位置し、前記中央部区分（２１）の側方縁部（３３）から前記吸収性物品（１）の側方縁部（２５）へと短手方向（ｙ）に延在する、２つの細長い側部区分（２３）と、
を含み、
前記短手方向（ｙ）における前記中央部区分（２１）の長さが、前記短手方向（ｙ）における前記吸収性物品（１）の最大長さ（２６）の１０〜６０％、具体的には、１５〜５０％、より具体的には、２０〜４０％の範囲にあり、
前記吸収性物品（１）の前記中心部分（５）内の前記１つまたは複数の非連続着色領域（２７）の表面積の少なくとも３０％、具体的には、少なくとも７０％、より具体的には、少なくとも９０％が、前記中央部区分（２１）に位置していることを特徴とする、請求項３から６のいずれか一項に記載の吸収性物品。
【請求項８】
前記トップシート（１０）を前記下地層に接合するための前記固着点（１６、１７）が、前記長手方向（ｘ）における前記トップシート（１０）の全長（３０）にわたって反復を繰り返す接合パターンを形成することを特徴とする、請求項１から７のいずれか一項に記載の吸収性物品。
【請求項９】
前記トップシート（１０）を前記下地層に接合するための前記固着点（１６、１７）が、非反復性接合パターンを形成することを特徴とする、請求項１から７のいずれか一項に記載の吸収性物品。
【請求項１０】
前記１つまたは複数の連続着色領域（２０）の総表面積が、前記トップシート（１０）の前記中心部分（５）の総表面積の３〜４０％に達することを特徴とする、請求項１から９のいずれか一項に記載の吸収性物品。
【請求項１１】
前記１つまたは複数の非連続着色領域（２７）の表面積全体が、前記トップシート（１０）の前記中心部分（５）の表面積全体の２０〜８０％、具体的には、５０〜７０％に達することを特徴とする、請求項３から１０のいずれか一項に記載の吸収性物品。
【請求項１２】
前記カラー印刷パターンが、前記下地層と向かい合う前記トップシート（１０）の面（１０ｂ）に、および／または使用者と向かい合うように意図された前記トップシート（１０）の面（１０ａ）に印刷されることを特徴とする、請求項１から１１のいずれか一項に記載の吸収性物品。
【請求項１３】
前記カラー印刷パターンが、前記下地層に印刷されることを特徴とする、請求項１から１１のいずれか一項に記載の吸収性物品。
【請求項１４】
前記吸収性物品（１）または前記吸収性物品（１）全体の前記中心部分（５）内の前記１つまたは複数の連続着色領域（２０）に含まれるすべての固着点（１６、１７）のうちの３０％未満、具体的には、すべての固着点（１６、１７）のうちの２０％未満、より具体的には、すべての固着点（１６、１７）のうちの１０％未満が、大きい固着点（１６）であり、さらにより具体的には、固着点（１６、１７）のうちの１つも、大きい固着点（１６）ではないことを特徴とする、請求項１から１３のいずれか一項に記載の吸収性物品。
【請求項１５】
前記トップシート（１０）の材料と下地シートの材料とが、前記固着点（１６、１７、５０）において溶接され、溶融され、および／または機械的に結合されることを特徴とする、請求項１から１４のいずれか一項に記載の吸収性物品。
【請求項１６】
前記固着点（１６、１７、５０）が、超音波溶接技法によって形成されることを特徴とする、請求項１から１４のいずれか一項に記載の吸収性物品。
【請求項１７】
すべての固着点（１６、１７、５０）の総表面積が、前記トップシート（１０）の前記中心部分（５）の総表面積の０．５〜２０％、具体的には、３〜１５％に達することを特徴とする、請求項１から１６のいずれか一項に記載の吸収性物品。
【請求項１８】
前記トップシート（１０）が、少なくとも３つの異なる表面積大きさ、具体的には、少なくとも４つの異なる表面積大きさ、より具体的には、少なくとも５つの異なる表面積大きさを含む固着点（１６、１７、５０）の組を用いて前記下地層に接合され、固着点（１６、１７、５０）は、前記吸収性物品（１）の長手方向中心線（２２）から開始する前記固着点（１６、１７、５０）の表面積大きさが、前記トップシート（１０）の側方縁部（２５）に向かって連続的にまたは段階的に減少するように構成されていることを特徴とする、請求項１から１７のいずれか一項に記載の吸収性物品。
【請求項１９】
吸収性コア（１２）を含み、前記下地層が、前記吸収性コア（１２）、または前記トップシート（１０）と前記吸収性コア（１２）との間に位置決めされた中間層によって形成されることを特徴とする、請求項１から１８のいずれか一項に記載の吸収性物品。
【請求項２０】
前記長手方向（ｘ）における前記前部分（３）の最大長さが、前記長手方向（ｘ）における前記吸収性物品（１）の最大長さ（３０）の１５％であり、前記長手方向（ｘ）における前記後ろ部分（４）の最大長さが、前記長手方向（ｘ）における前記吸収性物品（１）の前記最大長さ（３０）の２０％であることを特徴とする、請求項１から１９のいずれか一項に記載の吸収性物品。
【請求項２１】
前記複数の大小の固着点（１６、１７、５０）がそれぞれ、円形、長方形、楕円形、ダイヤモンド形、三角形、および正方形からなる群から選択された形状を有することを特徴とする、請求項１から２０のいずれか一項に記載の吸収性物品。
【請求項２２】
前記大きい固着点（１６）は、表面積が、２．５〜１５平方ミリメートル、具体的には、２．５〜１０平方ミリメートルの範囲にあることを特徴とする、請求項１から２１のいずれか一項に記載の吸収性物品。
【請求項２３】
失禁用保護物、生理用ナプキン、パンティーライナ、開放式おむつ、またはパンツ式おむつなどの、長手方向（ｘ）および短手方向（ｙ）を有する吸収性物品（１）を製造する方法であって、
前記吸収性物品（１）が、前記吸収性物品（1）の長手方向（ｘ）において、前部分（３）、後ろ部分（４）、および前記前部分（３）と前記後ろ部分（４）との間に位置し、前記前部分（３）と前記後ろ部分（４）とに接する中心部分（５）を有し、
前記吸収性物品（１）を製造する方法が、前記吸収性物品（１）において液体透過性のトップシートまたは前記トップシートの下層のシートを形成するように意図されたウェブ材料に、完成した吸収性物品（１）のトップシート側においてカラー印刷パターンが見えるように、カラー印刷パターンを印刷するステップと、
少なくとも前記中心部分（５）に存在する複数の大小の固着点（１６、１７）を用いて前記トップシート（１０）を下地層に接合するステップであって、小さい固着点（１７）は、表面積が０．０１〜２．５平方ミリメートルの範囲にあり、大きい固着点（１６）は、表面積が２．５平方ミリメートル超である、ステップと、
前記印刷された表面積の周縁部を越えて延在しないように直径１．５ミリメートルの平円形をマッピングできる前記カラー印刷パターンの印刷された表面積全体は、１つまたは複数の連続着色領域（２０）であって、少なくとも前記中心部分（５）に存在する連続着色領域（２０）を画定し、前記吸収性物品（１）の少なくとも前記中心部分（５）内の各連続着色領域（２０）には、大きい固着点（１６）がないように、前記複数の大小の固着点（１６、１７）および前記カラー印刷パターンを配置するステップと、
を含む、吸収性物品を製造する方法。
【発明の詳細な説明】
【技術分野】
【０００１】
本開示は、使い捨て吸収性物品に関し、この使い捨て吸収性物品は、吸収性物品のトップシート側において見える複数の大小の固着点(binding point)およびカラー印刷パターンを用いて下地層に接合された液体透過性トップシートを有する。使い捨て吸収性物品は、典型的には、失禁用保護物、生理用ナプキン、パンティーライナ、開放式おむつ、またはパンツ式おむつなどとすることができる。本開示はまた、そのような吸収性物品を製造する方法に関する。
【背景技術】
【０００２】
尿、月経液、または便などの体外排泄物を受け、保持するための使い捨て吸収性物品は、当技術分野においてよく知られている。使い捨て吸収性物品は、たとえば、3つの主要層、すなわち、流体透過性トップシート、吸収性コア、および流体不透過性バックシートを含み得る。これらの3つの主要層は、構造的に相互連接された単一製品を形成するために、吸収性物品の周縁部に沿って互いに結合され得る。さらには、トップシートと下地シートは、吸収性物品の表面のかなりの部分にわたって互いに結合されて、トップシートから下地シートへの満足できる流体移動容量を確保することができる。吸収性物品にはさらに、使用者と向かい合うように意図された表面に、吸収性物品を正しく装着していることを示し視覚的外観を高めるためのカラー印刷を施すことができる。
【０００３】
特許文献１は、着色されたトップシートおよび複数の接合点を有する使い捨て吸収性物品について開示している。
【０００４】
知られている使い捨て吸収性物品は、その意図された使用法については満足できるものであるとはいえ、そのような吸収性物品には、改良を受け入れる余地がある。
【先行技術文献】
【特許文献】
【０００５】
【特許文献１】国際公開第２０１１／１６３０４６号
【発明の概要】
【発明が解決しようとする課題】
【０００６】
本開示の一目的は、前に述べた問題が少なくとも部分的に回避されるような使い捨て吸収性物品およびそのような吸収性物品を製造する方法を提供することである。この目的は、独立請求項の特徴によって達成される。
【課題を解決するための手段】
【０００７】
本開示は、失禁用保護物、生理用ナプキン、パンティーライナ、開放式おむつ、またはパンツ式おむつなどの、長手方向および短手方向を有する吸収性物品に関する。吸収性物品は、前部分、後ろ部分、前部分と後ろ部分との間に位置し、前部分と後ろ部分とに接する中心部分、および複数の大小の固着点を用いて下地層に接合される液体透過性トップシートを含む。小さい固着点は、表面積が0.01〜2.5平方ミリメートルの範囲にあり、大きい固着点は、表面積が2.5平方ミリメートル超である。吸収性物品は、吸収性物品のトップシート側において見えるカラー印刷パターンをさらに含む。
【０００８】
本開示は、カラー印刷パターンの印刷された表面積全体は、印刷された表面積の周縁部を越えて延在しないように直径1.5ミリメートルの平円形をマッピング(mapped)でき、1つまたは複数の連続着色領域を画定し、吸収性物品の少なくとも中心部分内の各連続着色領域には、実質的に、大きい固着点がないことを特徴とする。
【０００９】
吸収性物品のトップシートの少なくとも中心部分には、高吸収性表面を示す視覚的外観を与えることが望ましい。これにより、どんな体外排泄物でも漏らさずに吸収する十分な容量を吸収性製品が有するという自信が使用者に高まる。トップシート上の高吸収性表面を示すための1つの手法は、トップシートを下地層に接合するための相対的に大きい固着点を使用することである。相対的に大きい固着点は、使用者の目に見え、固着点が、トップシートから下地シートへの特に素早い流体通過を可能にするための通り孔として機能するという印象を与える。したがって、使用者に漏れ防止(leakage security)に対する自信を向上させるために、トップシートの少なくとも中心に、相対的に大きい固着点を有することは望ましい。
【００１０】
しかしながら、相対的に大きい固着点が、吸収性物品のトップシート側において見える印刷パターンに悪影響をもたらす場合があることが観察されている。具体的には、相対的に大きい固着点は、それらが見えることで、印刷パターンに干渉する、すなわち、印刷パターンの視覚的外観に悪影響を及ぼすと見なされる場合がある。この干渉は、固着点の大きさ、ならびに印刷パターンの着色領域の大きさに伴って増加すると見なされ得る。結果的に、より大きい着色領域では、大きい固着点を重ね合わせることがより賢明であると見なすことができる。大きい着色領域の外側の印刷パターンの範囲、すなわち、印刷パターンのいわゆる非連続着色領域では、大きい固着点を重ね合わせるのは、それほど賢明ではないと見なすことができる。
【００１１】
その上、吸収性物品の中心部分における大きい着色領域と相対的に大きい固着点との間の干渉は、干渉の中心的場所であること、および高い漏れ防止を達成するのに最も重要であると見なされる吸収性物品の範囲に近いことにより、吸収性物品の前端部または後ろ端部でのそのような干渉よりも意味があると見なされ得る。
【００１２】
結果として、印刷パターンの視覚的外観を高め、漏れ防止の高い知覚を可能にする目的として、吸収性物品の少なくとも中心部分内の各連続着色領域には、実質的に、大きい固着点がないことが有利であると見なされ得る。
【００１３】
本開示はまた、失禁用保護物、生理用ナプキン、パンティーライナ、開放式おむつ、またはパンツ式おむつなどの、長手方向および短手方向を有する吸収性物品を製造するための対応する方法に関し、吸収性物品は、前部分、後ろ部分、前部分と後ろ部分との間に位置し、前部分と後ろ部分とに接する中心部分を有する。方法は、吸収性物品において液体透過性トップシート、またはトップシートの下層のシートを形成するように意図されたウェブ材料に、完成した吸収性物品のトップシート側において見えるようにカラー印刷パターンを印刷するステップと、
複数の大小の固着点を用いてトップシートを下地層に接合するステップであって、小さい固着点は、表面積が0.01〜2.5平方ミリメートルの範囲にあり、大きい固着点は、表面積が2.5平方ミリメートル超である、ステップと、
カラー印刷パターンの印刷された表面積全体は、印刷された表面積の周縁部を越えて延在しないように直径1.5ミリメートルの平円形をマッピングでき、1つまたは複数の連続着色領域を画定し、吸収性物品の少なくとも中心部分内の各連続着色領域には、実質的に、大きい固着点がないように、複数の大小の固着点およびカラー印刷パターンを配置するステップと、を含む。
【００１４】
さらなる利点は、従属請求項の特徴のうちの1つまたは複数を実施することによって達成される。
【００１５】
吸収性物品の一例示的な実施形態によれば、吸収性物品の各連続着色領域には、実質的に、大きい固着点がない。トップシートの全表面にわたって、相対的に大きい固着点と大きい着色領域との間の干渉を避けると、吸収容量の知覚をさらに高めることができる。
【００１６】
吸収性物品のさらなる例示的な実施形態によれば、1つまたは複数の連続着色領域の外側に位置したカラー印刷パターンの表面積全体は、1つまたは複数の非連続着色領域を画定し、1つまたは複数の非連続着色領域内に位置した固着点のうちの少なくとも30%、具体的には、少なくとも50%、より具体的には、少なくとも70%は、大きい固着点である。概して、大きい固着点は、それらの非連続的性質により、非連続着色領域に著しく干渉するとは見なされない。つまり、それでもなお、非連続着色領域は、分裂した視覚的外観を与えるが、結果的には、この分裂した視覚的外観は、重なり合った大きい固着点によって大きくは損なわれない。
【００１７】
吸収性物品のさらなる例示的な実施形態によれば、1つまたは複数の非連続着色領域は、直径7ミリメートルの平円形をマッピングするとともに1つまたは複数の連続着色領域の一部を形成しない印刷された表面積を重ね合わせることができるトップシートの表面積全体に対応する。前記表面積は、非連続着色領域を表していると合理的に見なされ得る。
【００１８】
吸収性物品のさらなる例示的な実施形態によれば、吸収性物品は、吸収性物品の長手方向に延在し長手方向中心線を中心とする細長い中央部区分と、吸収性物品の長手方向に延在する2つの細長い側部区分であって、1つの側部区分が、中央部区分の各側部に位置し、中央部区分の側方縁部から吸収性物品の側方縁部へと短手方向に延在する、2つの細長い側部区分とを含み、短手方向における中央部区分の長さは、短手方向における吸収性物品の最大長さの10〜60%、具体的には、15〜50%、より具体的には、20〜40%の範囲にあり、中央部区分の中心部分内に位置した、80〜100%、具体的には、90〜100%、より具体的には、実質的にすべての固着点は、大きい固着点であり、側部区分の中心部分内に位置した、80〜100%、具体的には、90〜100%、より具体的には、実質的にすべての固着点は、小さい固着点である。トップシートの中心範囲に大きい固着点を、およびトップシートの側方側に沿って小さい固着点を配置することによって、十分な固着点の密度および分散が、トップシートの広い範囲にわたって達成され得るとともに、使用者は、中心範囲における大きい固着点を吸収容量の増大を可能にするものと知覚することができる。
【００１９】
吸収性物品のさらなる例示的な実施形態によれば、吸収性物品は、吸収性物品の長手方向に延在し長手方向中心線を中心とする細長い中央部区分と、吸収性物品の長手方向に延在する2つの細長い側部区分であって、1つの側部区分が、中央部区分の各側部に位置し、中央部区分の側方縁部から吸収性物品の側方縁部へと短手方向に延在する、2つの細長い側部区分とを含み、短手方向における中央部区分の長さは、短手方向における吸収性物品の最大長さの10〜60%、具体的には、15〜50%、より具体的には、20〜40%の範囲にあり、吸収性物品の中心部分内の1つまたは複数の連続着色領域の少なくとも75%の、具体的には、少なくとも90%の、より具体的には、全体の表面積が、側部区分のうちのいずれかに位置している。大きい着色領域、すなわち、連続着色領域をトップシートの側方側に隣接する領域に置くことによって、大きい固着点は、大きい着色領域に干渉せずにトップシートの中心範囲に配置され得る。
【００２０】
吸収性物品のさらなる例示的な実施形態によれば、吸収性物品は、吸収性物品の長手方向に延在し長手方向中心線を中心とする細長い中央部区分と、吸収性物品の長手方向に延在する2つの細長い側部区分であって、1つの側部区分が、中央部区分の各側部に位置し、中央部区分の側方縁部から吸収性物品の側方縁部へと短手方向に延在する、2つの細長い側部区分とを含み、短手方向における中央部区分の長さは、短手方向における吸収性物品の最大長さの10〜60%、具体的には、15〜50%、より具体的には、20〜40%の範囲にあり、吸収性物品の中心部分内の1つまたは複数の非連続着色領域の表面積の少なくとも30%、具体的には、少なくとも70%、より具体的には、少なくとも90%は、中央部区分に位置している。より小さい着色領域、すなわち、非連続着色領域をトップシートの中心範囲に置くことによって、前記中心範囲における印刷パターンが開口または孔に似ている場合、吸収容量の知覚をさらに高めることが達成され得る。使用者はまた、非連続着色領域と大きい固着点との間の視覚的干渉を相対的に低いものと見なすことができ、中心範囲についての高吸収容量の知覚は、大きく阻害されない。
【００２１】
吸収性物品のさらなる例示的な実施形態によれば、トップシートを下地層に接合するための固着点は、長手方向におけるトップシートの全長にわたって反復を繰り返す接合パターンを形成する。反復性固着パターンは、吸収性物品の異なる区分、たとえば、後ろ部分、前部分、および中心部分の少なくとも1つの区分において、同一である固着パターンを意味する。このタイプの接合パターンは、固着点を生成するための製造方法における費用効率の高いローラと対向ローラとの組立体の使用を可能にし、このローラは、ローラの外周に沿って均一なパターンを有することができる。その上、接合パターンを印刷パターンに適合させる必要性は、可能性として省略され得る。
【００２２】
吸収性物品のさらなる例示的な実施形態によれば、トップシートを下地層に接合するための固着点は、非反復性接合パターンを形成する。非反復性接合パターンは、たとえば、後ろ部分、前部分、および中心部分における接合パターンが互いに異なる場合の接合パターンを意味する。非反復性接合パターンは、有利には、所望の視覚的効果を達成するために、吸収性物品に対する所定の相対場所、たとえば、接合パターンと印刷パターンとの間の、または固着パターンと吸収性物品自体の形状および形体との間の所定の相対位置に位置決めされ得る。
【００２３】
吸収性物品のさらなる例示的な実施態様によれば、1つまたは複数の連続着色領域の総表面積は、トップシートの中心部分の総表面積の3〜40%に達する。この範囲は、満足できる視覚的外観を印刷パターンに与えると見なされる。
【００２４】
吸収性物品のさらなる例示的な実施形態によれば、1つまたは複数の非連続着色領域の総表面積は、トップシートの中心部分の総表面積の20〜80%、具体的には、50〜70%に達する。この範囲は、満足できる視覚的外観を印刷パターンに与えると見なされる。
【００２５】
吸収性物品のさらなる例示的な実施形態によれば、カラー印刷パターンは、下地層と向かい合うトップシートの面、および/または使用者と向かい合うように意図されたトップシートの面に印刷される。トップシートに印刷すると、印刷パターンのカラーと観察者との間にもたらされる材料のレベルが相対的に低いことに起因して、相対的に高い品質の印刷がもたらされ得る。下地層と向かい合うトップシートの面に印刷すると、印刷パターンのカラーを汚す危険性が低減されるので、さらに有利になり得る。しかしながら、使用者と向かい合う面へのトップシート印刷は、印刷品質の知覚という点で有利であり得る。
【００２６】
吸収性物品のさらなる例示的な実施形態によれば、カラー印刷パターンは、下地層に印刷される。この構成により、印刷パターンの相対的に保護された付設を可能にする。
【００２７】
吸収性物品のさらなる例示的な実施形態によれば、このまたは吸収性物品全体の中心部分内の1つまたは複数の連続着色領域で含まれているすべての固着点のうちの30%未満、具体的には、すべての固着点のうちの20%未満、より具体的には、すべての固着点のうちの10%未満が、大きい固着点であり、さらにより具体的には、固着点のうちの1つも、大きい固着点ではない。この構成は、印刷パターンの視覚的外観を高め、漏れ防止の高い知覚をもたらすと見なされる。
【００２８】
吸収性物品のさらなる例示的な実施形態によれば、トップシートの材料と下地シートの材料とは、固着点において溶接され、溶融され、および/または機械的に結合される。これらのタイプの固着技術は、費用効率の高い製造方法を可能にし、トップシートの液体透過性の所望の知覚および改良を生み出すために使用され得る。
【００２９】
吸収性物品のさらなる例示的な実施形態によれば、固着点は、超音波溶接技法によって形成される。この固着技術は、費用効率の高い製造方法および高品質固着容量により、特に好ましい。
【００３０】
吸収性物品のさらなる例示的な実施形態によれば、すべての固着点の総表面積は、トップシートの中心部分の総表面積の0.5〜20%、具体的には、3〜15%に達する。これらの範囲は、トップシートと下地シートとの間の満足できる接触をもたらして、固着点によってトップシートが過度にカバーされることで流体透過性が著しく低下することなく、前記層間で適切に流体が移動し、ならびに相対的に大きい固着点により流体透過性の所望の知覚をもたらすのに十分な大きさである。
【００３１】
吸収性物品のさらなる例示的な実施形態によれば、トップシートは、少なくとも3つの異なる表面積大きさ、具体的には、少なくとも4つの異なる表面積大きさ、より具体的には、少なくとも5つの異なる表面積大きさを含む固着点の組を用いて下地層に接合され、固着点は、吸収性物品の長手方向中心線から開始する固着点の表面積大きさが、トップシートの側方縁部に向かって連続的にまたは段階的に減少するように構成されている。吸収性物品の中心線から側方縁部に向かって固着点の連続的にまたは段階的に縮小される表面積大きさは、吸収性物品の中心線に沿って、流体透過性の高い知覚とともに視覚的に魅力的な固着パターンを与えると見なされ得る。
【００３２】
吸収性物品のさらなる例示的な実施形態によれば、吸収性物品は、吸収性コアを含み、下地層は、吸収性コア、またはトップシートと吸収性コアとの間に位置決めされた中間層によって形成される。
【００３３】
吸収性物品のさらなる例示的な実施形態によれば、長手方向における前部分の最大長さは、吸収性物品の最大長さの15%であり、長手方向における後ろ部分の最大長さは、吸収性物品の最大長さの20%である。この規定による前および後ろの部分は、連続着色領域と大きい固着点との間の干渉の回避にそれほど意味のない吸収性物品の部分を表すと見なされる。前部分と、後ろ部分と、中心部分との間の境界線は、吸収性物品の短手方向に延在する。
【００３４】
吸収性物品のさらなる例示的な実施形態によれば、複数の大小の固着点はそれぞれ、円形、長方形、楕円形、ダイヤモンド形、三角形、および正方形からなる群から選択された形状を有する。これらのタイプの接合点は、大きい固着点の流体透過性の満足できる程度の知覚をもたらすと見なされる。
【００３５】
吸収性物品のさらなる例示的な実施形態によれば、大きい固着点は、表面積が、2.5〜15平方ミリメートル、具体的には、2.5〜10平方ミリメートルの範囲にある。固着点の、上に規定した範囲を上回る表面積は、流体の効果的な取込みおよび移動能力に悪影響をもたらすと見なされ得る。
【００３６】
適用可能性のさらなる領域は、本明細書に提供される説明から明らかになるであろう。
【００３７】
以下の詳細な説明においては、次の図を参照する。
【図面の簡単な説明】
【００３８】
【図１】本開示による吸収性物品の一例示的な実施形態の上面図である。
【図２Ａ】図1の切断部A-Aに沿った一例示的な横断面図である。
【図２Ｂ】図1の切断部A-Aに沿った代替の横断面図である。
【図３】図1の吸収性物品の連続着色領域の一例を示す図である。
【図４】連続着色領域を有する印刷された表面の一例を示す図である。
【図５】図1の吸収性物品の非連続着色領域の一例を示す図である。
【図６】吸収性物品の接合パターンの代替の実施形態を示す図である。
【発明を実施するための形態】
【００３９】
本開示の様々な態様について、本開示を例示し限定はしない添付の図面と併せて、本明細書において以降、説明し、同様の記号表示は、同様の要素を示し、説明されている態様の変形形態は、具体的に示されている実施形態に制限されるのではなく、本開示の他の変形形態に適用可能である。
【００４０】
図面の図1を参照すると、本開示による吸収性物品1の一例示的な実施形態が、吸収性物品1のトップシート10と向かい合う側から概略的に示されている。この例示的な実施形態は、長手方向xおよび短手方向yを有する、羽なし生理用ナプキンタイプの吸収性物品1を概略的に示している。吸収性物品1は、前部分3、後ろ部分4、および前部分3と後ろ部分4との間に位置し前部分3と後ろ部分4とに接する中心部分5をさらに含む。前記部分3と4と5との間の境界線6は、平行であり、短手方向yに延在する。
【００４１】
図1の例示的な実施形態においては、長手方向xにおける前部分3の最大長さは、長手方向xにおける吸収性物品の最大長さ30の約15%である。その上、長手方向xにおける後ろ部分4の最大長さは、長手方向xにおける吸収性物品の最大長さ30の約20%である。
【００４２】
開示されている例示的な吸収性物品1の実施形態は、長手方向xに沿って細長い形状を有し、吸収性物品1の中心部分5の幅29は、前記前部分3および後ろ部分4での吸収性物品1の最大幅よりも小さい。
【００４３】
さらには、開示されている例示的な吸収性物品1の実施形態は、短手方向yにおける吸収性物品1の最狭部分の場所が、吸収性物品の後ろ端部よりも吸収性物品の前端部の近くに位置しているので、短手方向yに延びる軸について非対称な形状を有する。あるいは、吸収性物品は、短手方向yに延びる軸について鏡面対称を有してもよい。
【００４４】
図1の断面A-Aに沿った横断面図の一例示的な実施形態は、図2Aに概略的に示されている。この特定の例示的な実施形態による吸収性物品1は、下層の取込みまたは分散層(acquisition or distribution layer)11に接合された液体透過性トップシート10、液体不透過性バックシート13、および取込みまたは分散層11と液体不透過性バックシート13との間に挟まれた吸収性コア12を含む。吸収性コア12は、取込みまたは分散層11に接着して貼り付けられ得る。しかしながら、吸収性物品1の構造という観点での多くの変形形態は、特許請求の範囲内にあり得る。たとえば、下地層は、別のタイプの層であってもよく、あるいは1つまたは複数の追加の層が、吸収性物品に設けられてもよい。さらには、図2Bを参照すると、トップシート10は、吸収性コア12に、あるいは取込みまたは分散層でも吸収性コアでもない別の層に、直接、接合されてもよい。その上、吸収性コア12は、吸収性コア12を共同で形成する2層以上の吸収性材料を含んでもよい。
【００４５】
図1に示されている例示的な生理用ナプキンは、使用者の下着に、たとえば前記下着に吸収性物品を留めるためにバックシート13の外側に設けられている接着材を用いて、接着して貼り付けられるように意図されている羽なしの生理用ナプキンタイプ吸収性物品1である。しかしながら、本開示は、同様に、羽タイプの生理用ナプキン吸収性物品にも適用可能であり、その場合、吸収性物品1の中心部分5における、側方に突出した羽は、前記下着に吸収性物品1を留めるために使用者の下着の縁部周りで折り返されるように意図されている。その上、本開示の根本的な発明的概念は、失禁用保護物、パンティーライナ、生理用ナプキン、開放式おむつ、またはパンツ式おむつなどとして機能するように設計および構成された吸収性物品1においても同様によく実装され得る。
【００４６】
液体透過性トップシート10は、木材パルプもしくは綿繊維などの天然繊維、ポリエステル、ポリエチレン、ポリプロピレン、ビスコースなどの合成繊維、またはそれらの混合物から構成され得る、たとえばスパンボンド式、メルトブロー式、カード式、水流交絡式、湿式などの不織材料を含むことができる。トップシート10材料は、さらに、トウ繊維、多孔質発泡体、開口プラスチックフィルムなどから構成され得る。トップシート材料として適する材料は、皮膚に柔らかで非刺激性であり、体液、たとえば、尿、または月経液などが染み込みやすく、低いリウェット特性(low rewetting property)を示すべきである。トップシートは、超音波溶接などの溶接を用いて下地シートへの接合を可能にするための溶接可能な繊維を含むことが可能である。
【００４７】
取込みまたは分散層11は、そのような層が吸収性物品1において使用される場合、トップシート10に接合するのに適している材料を含むことができる。たとえば、溶接技術を使用して、トップシート10を取込みまたは分散層11に接合する場合、取込みまたは分散層11の材料は、少なくとも部分的に溶接可能な繊維を含むべきである。たとえば、溶接可能な繊維は、ポリプロピレンの層でコーティングされているポリエチレン繊維とすることができる。取込みまたは分散層11は、純ポリエチレン繊維をさらに含むことができる。特定の例においては、取込みまたは分散層11における繊維のうちの30%未満は、ポリエチレン繊維であり、繊維のうちの70%超は、ポリプロピレンでコーティングされているポリエチレン繊維からなる溶接繊維である。
【００４８】
吸収性コア12は、セルロースフラッフパルプ、組織層、高吸収性ポリマー(超吸収剤)、ヒドロゲル発泡体材料または吸収性不織材料などを含む吸収性発泡体材料など、排出された体外排泄物を吸収するのに適している任意の従来の材料を含むことができる。上記と同様に、溶接技術を使用して、トップシート10を吸収性コア12に直接、接合する場合、吸収性コア12の材料は、少なくとも部分的に溶接可能な繊維を含むべきである。
【００４９】
液体不透過性バックシート13は、たとえばポリエチレンまたはポリプロピレンフィルムの薄いプラスチックフィルム、液体不透過性材料でコーティングされた不織材料、液体侵入に耐える疎水性不織材料、またはプラスチックフィルムと不織材料との積層体を含むことができる。バックシート材料は、液体をバックシート材料から通り抜けできなくしながらも、蒸気を吸収性コアから逃すことを可能にするように通気性とすることができる。
【００５０】
トップシート10およびバックシート13は、吸収性物品の周縁部に沿って延在する周縁接合帯(peripheral bonding zone)15に沿って互いに結合され得る。周縁接合帯15における接合は、たとえば、接着剤接合、熱による糊付けもしくは溶接、または超音波接合を用いて実現され得る。トップシート10および/またはバックシート13は、接着、熱接合など、当技術分野においては知られている任意の方法によって吸収性コア12にさらに貼り付けられ得る。
【００５１】
トップシート10から下地シートへの満足できる流体移動能力を可能にするために、および使用者に低いウェット感を与える目的として、トップシート10と下地層との間の相対的に密な接触は、周縁接合帯15の内側に位置しているトップシート10のかなりの範囲にわたって望ましい。この相対的に密な接触は、図1の例示的な実施形態においては、周縁接合帯15の内側のトップシート10の範囲にわたって分散された複数の大小の固着点16、17を用いて達成される。
【００５２】
各固着点16、17それ自体の範囲での流体移動能力は、低いまたは存在しないので、多すぎる固着点16、17は、流体移動能力およびウェット感に悪影響をもたらす。したがって、トップシート10の範囲にわたって合理的な量の固着点16、17を大体等しく分散させることが望ましい。
【００５３】
相対的に大きい固着点17は使用者の目にはより見え得るので、体液を最初に受けるように意図された吸収性物品1の少なくともある領域に相対的に大きい固着点16を有することがさらに望ましく、使用者は、目に見える大きい固着点17を、トップシート10を通る通り孔としてそれらの外観が知覚されることにより、高吸収容量を示すものとして知覚することができる。
【００５４】
固着点は、たとえば、トップシートの材料と下地シートの材料とを固着点において溶接する、溶融する、および/または機械的に結合することによって実現され得る。具体的には、固着点は、超音波溶接技法によって形成され得る。複数の大小の固着点は、円形、長方形、楕円形、ダイヤモンド形、三角形、および正方形からなる群から選択された形状を有することができる。
【００５５】
図1の例示的な実施形態においては、トップシートを下地層に接合するために使用される固着点は、長手方向におけるトップシートの全長にわたって反復を繰り返す接合パターンを形成する。しかしながら、固着点は、代替として、たとえば、吸収性物品の不均一な外形全体に従って形作られている接合パターン、および/または吸収性物品の不均一な印刷パターンに従って形作られている接合パターンなど、非反復性接合パターンを形成することもできる。
【００５６】
すべての固着点の総表面積は、図1の例示的な実施形態におけるトップシートの中心部分5の総表面積の約4%に達する。しかしながら、すべての固着点の総表面積は、代替として、トップシート10の中心部分の総表面積の約0.5〜20%、具体的には、トップシートの中心部分5の総表面積の約3〜15%に達し得る。
【００５７】
図1に概略的に示されている生理用ナプキンの例示的な実施形態はさらに、吸収性物品1のトップシート側において見えるカラー印刷パターンを含む。図1に概略的に示されているカラー印刷パターンは、印刷された木の葉形の要素18、および葉柄などに似た細長い要素18の形態の装飾的なカラー印刷を含む。葉柄は、吸収性物品1の側方縁部25と隣接して、少なくとも部分的に実質的に平行に位置する。この構成は、使用中に吸収性物品の知覚される形体、形状、および/または適切な向きを示し、および/または強化し、ならびに吸収性物品1の視覚的外観を高めるのに使用される。
【００５８】
その上、図1の吸収性物品1のカラー印刷パターンは、漏れ防止の改良に向けてトップシート10の流体透過性の知覚をさらに強化するために設けられている複数の小さいカラー印刷要素19をさらに含む。流体透過性は、複数の小さいカラー印刷要素19とトップシート10を通る開口との間の視覚的類似性に起因して強化されると見なされる。複数の小さいカラー印刷要素19は、たとえば、円形、長方形、楕円形、ダイヤモンド形、三角形、および正方形からなる群から選択された形状を有することができる。
【００５９】
吸収性物品1は、複数の固着点16、17と、吸収性物品1のトップシート側において見える様々な印刷要素18、19を有するカラー印刷パターンとの両方を含むので、少なくとも相対的に大きい固着点が印刷パターンの連続着色領域に重なり合う場合には、印刷パターンと固着点16、17との間の望ましくない干渉が生じる可能性がある。そのため、相対的に小さい固着点17は、概して、使用者の目にはほとんど見えず、結果的に、印刷パターンと固着点16、17との間の望ましくない干渉を引き起こす可能性は低いので、相対的に小さい固着点17、加えて先に述べた相対的に大きい固着点16を使用することが望ましい場合がある。
【００６０】
そのため、本開示による液体透過性シート10は、複数の大きい固着点16および小さい固着点17を用いて下地層に接合される。トップシート10を下地シートに接合するのに使用される固着点16、17の表面積の大きさは、結果として、トップシート10の範囲にわたって変動する。図1に示されている例示的な実施形態においては、小さい固着点17は、表面積が約1平方ミリメートルであり、大きい固着点16は、表面積が約4平方ミリメートルである。しかしながら、小さい固着点17は、代替として、表面積が、0.01〜2.5平方ミリメートル、具体的には、0.1〜2.0平方ミリメートル、より具体的には、0.25〜1.5平方ミリメートルの範囲にあることができ、大きい固着点16は、代替として、表面積が、2.5平方ミリメートル超であってよい。大きい固着点16は、表面積が、2.5〜15平方ミリメートル、具体的には、2.5〜10平方ミリメートルの範囲にあることができる。
【００６１】
連続着色領域は、複数の小さい着色要素とは対照的に、特定の連続拡張部を有するカラー印刷領域を示す。詳細には、連続着色領域は、本明細書においては、印刷された表面積の周縁部を越えて延在しないように直径1.5ミリメートルの平円形をマッピングできるカラー印刷パターンの印刷された表面積と規定される。図1の例示的な実施形態の吸収性物品の様々な連続着色領域20は、図3に斜線付けされた領域として明瞭に示されている。これらの着色領域20は、相対的に大きい連続着色部を有する範囲を表す。
【００６２】
印刷された木の葉形の要素18の形態の拡大された例示的な装飾的カラー印刷が、連続着色領域20の境界付けを示す目的として図4に示されている。印刷された表面積の周縁部32を越えて延在しないように、印刷された要素18の上に直径1.5ミリメートルの複数の平円形がマッピングされる。印刷された表面積の周縁部を越えて延在しないように、前記平円形をマッピングできる印刷された表面積18の部分のみ、連続着色領域20に属していると見なされ、この連続着色領域20は、図4において斜線範囲を用いて識別される。
【００６３】
少なくとも1つの連続着色領域20を含む印刷パターンとの組合せで、トップシート10の範囲の少なくとも一部分にわたって相対的に大きい固着点16の所望の効果を達成するために、および大きい固着点16と印刷パターンとの間の干渉の望ましくない知覚をなおも避けるために、大きい固着点16および連続着色領域20の場所は、吸収性物品1の少なくとも中心部分5内の各連続着色領域20には、実質的に、大きい固着点16がないように構成されている。
【００６４】
図1の例示的な実施形態においては、固着点16、17は、吸収性物品の中心部分内の1つまたは複数の連続着色領域では1つも含まれていない。しかしながら、本明細書においては、実質的に、大きい固着点16がないということは、吸収性物品の中心部分内、または吸収性物品全体内の1つまたは複数の連続着色領域で含まれているすべての固着点16、17のうちの30%未満、具体的には、すべての固着点16、17のうちの20%未満、より具体的には、すべての固着点16、17のうちの10%未満が、大きい固着点16であることを有する例示的な実施形態を含む。本明細書においては、すべての固着点16、17は、吸収性物品1の周縁部に沿って延在する周縁接合帯15の内側に位置しているそれらの固着点を示す。
【００６５】
吸収性物品1の中心部分5は、吸収容量に関して、より重要であると見なされ得ることが多く、そのため、大きい固着点16と連続着色領域20との間の干渉を回避または低減させることは、吸収性物品1のこの部分において最も意味がある。しかしながら、代替の実施形態によれば、吸収性物品1の各連続着色領域20には、吸収容量の知覚をさらに高めるために、実質的に、大きい固着点16がなくてもよい。
【００６６】
印刷された表面積の周縁部を越えて延在しないように直径1.5ミリメートルの平円形をマッピングできないカラー印刷表面積は、結果として、連続着色領域の一部ではない。そうではなく、1つまたは複数の連続着色領域の外側に位置したカラー印刷パターンの表面積全体は、1つまたは複数の非連続着色領域を画定する。
【００６７】
相対的に大きい固着点16は、高吸収容量の知覚を可能にする目的として魅力的であると見なされるが、結果的には連続着色領域への満足できない視覚的干渉をもたらすので、相対的に大きい固着点は、連続着色領域の外側に位置することが好ましい。大きい固着点は、代わりに、たとえば、非連続着色領域内に位置し得る。具体的には、1つまたは複数の非連続着色領域内に位置した固着点のうちの少なくとも30%、具体的には、少なくとも50%、より具体的には、少なくとも70%は、大きい固着点である。
【００６８】
非連続着色領域は、本質的には、カラー印刷パターンの範囲に関連付けられた、ただし、連続着色領域のうちのいずれかの一部ではない領域に対応する。詳細には、本明細書における非連続着色領域は、直径7ミリメートルの平円形をマッピングするとともに1つまたは複数の連続着色領域の一部を形成しない印刷された表面積を重ね合わせることができるトップシートの表面積を示す。非連続着色領域27の範囲の一例示的な図が、連続着色領域20の範囲とともに図5に示されている。たとえば6ミリメートル、5ミリメートル、または4ミリメートルなど、7ミリメートルとは異なる平円形の他の大きさが、非連続着色領域27を画定するために使用され得る。トップシート10の総表面積は、トップシート10の連続着色領域20、非連続着色領域27、および残りの印刷されていない領域28からなる。
【００６９】
たとえば、カラー印刷は、アナログまたはデジタルの印刷技術を用いて実現され得る。アナログ印刷技術は、ここでは、カラーの液体でコーティングされ、その後、印刷すべき表面に押し付けられ、それにより、印刷すべき表面に、カラー印刷パターンが施される印刷版またはロールの使用法を示す。デジタル印刷技術は、通常、インクが所望の画像を生成する基板上に転写されるインクジェット印刷、トナーが荷電画像に引き付けられ、次いで現像される電子写真術印刷、またはレーザ印刷を示す。デジタル印刷が使用される場合、カラー印刷パターンは、非常に互いに密な多数の小さいカラードットを印刷することによって達成され得る。カラー印刷パターンの解像度は、1インチ当りのドット数(dots per inch: DPI)の単位で規定され得る。印刷された表面積上にマッピングされる直径1.5ミリメートルの平円形は、印刷された表面積が長手方向xと短手方向との両方に延在するとき、および解像度が長手方向と短手方向x、yの両方において少なくとも50DPI、具体的には、少なくとも100DPIであるとき、印刷された表面積は解像度が低いので、印刷された表面積の周縁部のみを越えて延在すると見なされない。
【００７０】
代替として、または上記との組合せで、大きい固着点の場所は、トップシート10の表面を様々な区分に分割し、いずれかの大きい固着点を含む各区分を連続着色領域に割り当てることによって、連続着色領域の場所とは分離可能である。たとえば、吸収性物品は、吸収性物品1の長手方向xに延在し長手方向中心線22を中心とする細長い中央部区分21と、吸収性物品1の長手方向xに延在する2つの細長い側部区分23とを含むことができ、1つの区分23は、中央部区分21のそれぞれの側部に位置する。側部区分23は、中央部区分の側方縁部24から吸収性物品1の側方縁部25へと短手方向yに延在する。
【００７１】
図1の例示的な実施形態においては、短手方向yの中央部区分21の長さは、短手方向yにおける吸収性物品1の最大長さ26の約20%である。しかしながら、短手方向yの中央部区分21の長さは、代替として、短手方向yにおける吸収性物品1の最大長さ26の10〜60%、具体的には、15〜50%、より具体的には、20〜40%の範囲にあってよい。
【００７２】
代替として、または上記との組合せで、大きい固着点16と連続着色領域20との分離は、吸収性物品1の中心部分5内の1つまたは複数の連続着色領域20の少なくとも75%の、具体的には、少なくとも90%の、より具体的には、全体の表面積を側部区分23のうちのいずれかに置くことによって実施され得る。図3の例示的な実施形態においては、吸収性物品1の中心部分5内の1つまたは複数の連続着色領域20の表面積全体は、側部区分23に位置する。側部区分23に連続着色領域20の少なくともかなりの部分を置くことによって、中央部区分21には、相対的に、連続着色領域20がなく、それにより、大きい固着点16は、干渉の危険性が低くまたはまったくなく、中央部区分21に位置することが可能になる。
【００７３】
代替として、または上記との組合せで、大きい固着点16と連続着色領域20との分離は、中央部区分21の中心部分5内に80〜100%、具体的には、90〜100%、より具体的には、実質的にすべての大きい固着点16を置くことによって、および側部区分23の中心部分5内に80〜100%、具体的には、90〜100%、より具体的には、実質的にすべての小さい固着点17を置くことによって実施され得る。図3の例示的な実施形態においては、側部区分23の中心部分5内のすべての固着点は、小さい固着点17であり、中央部区分21の中心部分5内のすべての固着点は、大きい固着点16である。上記と同様に、中央部区分21に大きい固着点16の少なくともかなりの部分を置くことによって、側部区分23には、相対的に、大きい固着点16がなく、それにより、連続着色領域20は、干渉の危険性が低くまたはまったくなく、側部区分23に位置することが可能になる。側部区分23に位置する小さい固着点17もまた、重ねて配置されたときの連続着色領域への何らかの大きい干渉を引き起こさない。
【００７４】
さらなる代替として、または上記との組合せで、大きい固着点16と連続着色領域20との分離は、中央部区分21に吸収性物品の中心部分内の1つまたは複数の非連続着色領域の表面積の少なくとも30%、具体的には、少なくとも70%、より具体的には、少なくとも90%を置くことによって実施され得る。図5の例示的な実施形態においては、吸収性物品の中心部分5内の非連続着色領域27の表面積の約30%が、中央部区分21に位置する。吸収容量の高い知覚を達成する目的として、大きい固着点16を中央部区分21に置くことが好ましい。また、中央部区分21に非連続着色領域27のかなりの部分を配置することは、大きい固着点16が、重ねて合わせて配置されたときの非連続着色領域27への何らかの大きい干渉を引き起こすとは見なされないので、望ましい場合がある。
【００７５】
図3の吸収性物品の例示的な実施形態は、相対的に少ない量の連続着色領域を有し、図3の連続着色領域20の総表面積は、トップシート10の中心部分5の総表面積の約5%に達する。図3の連続着色領域20の総表面積は、斜線範囲の累積表面に達する。トップシート10の中心部分5の総表面積は、吸収性物品1の側方縁部25、および前部分3と、後ろ部分4と、中心部分5との間の境界線6それぞれによって囲まれた表面全体に達する。
【００７６】
1つまたは複数の非連続着色領域の総表面積は、典型的には、トップシートの中心部分の総表面積の20〜80%、具体的には、50〜70%に達する。図5の例示的な実施形態においては、非連続着色領域27の総表面積は、トップシートの中心部分の総表面積の約75%に達する。
【００７７】
図2Aを参照すると、たとえば、カラー印刷パターンは、ここでは取込みまたは分散層11によって表される下地層と向かい合うトップシート10の面10bに印刷され得る。代替として、または上記との組合せで、カラー印刷パターンは、たとえば、使用者と向かい合うように意図されたトップシート10の面10aに印刷され得る。さらなる代替として、または上記との組合せで、カラー印刷パターンは、使用者と向かい合う取込みまたは分散層11の面11aなど、取込みまたは分散層11に印刷され得る。図2Bを参照すると、下地層が吸収性コア12である場合、カラー印刷パターンは、代替として、使用者と向かい合うように意図された吸収性コアの面12aに印刷され得る。
【００７８】
吸収性物品の先に開示された例示的な実施形態においては、2つの異なる固着点の大きさ、中央部区分21に位置する大きい固着点16、側部区分23に位置する小さい固着点が示された。しかしながら、トップシート10は、代替として、少なくとも3つの異なる表面積大きさを含む固着点の組を用いて下地層に接合されてもよい。そのような例示的な実施形態が、より理解できる開示を提供するためにカラー印刷パターンを隠して図6に概略的に示されている。図6においては、長手方向4列の大きい固着点16が、長手方向中心線22を中心として与えられている。大きい固着点16よりも表面積が小さい中間の大きさの固着点50が1列、大きい固着点16のそれぞれの側方外側に配置されている。最後に、長手方向2列の小さい固着点17が、中間の固着点50のそれぞれの側方外側に配置されている。したがって、固着点16、50、17は、吸収性物品1の長手方向中心線22から始まる固着点16、50、17の表面積大きさがトップシート10の側方縁部25に向かって段階的に減少するように、構成されている。
【００７９】
吸収性物品が、弾性の糸またはバンドを吸収性物品に組み入れていない生理用ナプキン、パンティーライナ、または類似タイプの製品である場合、長さ、表面積、および直径などの本明細書におけるすべての測定は、吸収性物品の自然な状態で行われるように意図されている。しかしながら、吸収性物品が、パンツ式の失禁用製品、赤ん坊の開放おむつ、または起立ギャザー(standing gather)などに通常使用されているものなど、弾性の糸またはバンドを含む場合においては、長さ、表面積、および直径などの本明細書におけるすべての測定は、吸収性物品の伸ばされた状態で行われるように意図される。吸収性物品の「伸ばされた状態」という用語は、本明細書においては、弾性ウェブ材料、腰の弾性材、脚の弾性材など、中に含まれている弾性材料がすべて、製品のどの部分にもギャザーを寄せず、吸収性物品全体が、実質的に平坦でギャザーのない状態になるような程度まで伸ばされるような程度に、吸収性物品が4方向すべてに伸ばされた状態として規定される。物品は、この平坦な状態に達するような程度に伸ばされるだけである。
【００８０】
上記の説明が、性質上、単なる例示にすぎず、本開示、その用途、または使用法を限定するように意図するものでないことは認識されるであろう。具体的な例が、本明細書に説明され、図面に示されているが、特許請求の範囲に規定されている本開示の範囲から逸脱することなく、様々な変更形態が作成され、均等形態がその要素に置換され得ることは当業者には理解されるであろう。様々な例間の特徴、要素、および/または機能を混合し、整合させることは、ある例の特徴、要素、および/または機能が、上記に別段の記載がない限り、適宜、別の例に組み込み可能であることを当業者が本開示から認識するように本明細書においては明示的に企図される。その上、多くの修正形態が、その本質的な範囲から逸脱することなく特定の状況または材料を本開示の教示に適合させるように作成され得る。そのため、本開示は、図面によって示され本明細書に説明されている特定の例に限定されるものではなく、本開示の範囲は、前述の説明および添付の特許請求の範囲内に入るいずれの実施形態も含むことになるように意図される。
【００８１】
特許請求の範囲に述べられている参照符号は、特許請求の範囲によって保護される内容の範囲を限定するものと見なすべきではなく、それらの唯一の機能は、特許請求の範囲を理解し易くすることである。
【符号の説明】
【００８２】
1  吸収性物品
3  前部分
4  後ろ部分
5  中心部分
6  境界線
10  トップシート
10a  面
10b  面
11  取込みまたは分散層
11a  面
12  吸収性コア
12a  面
13  バックシート
15  周縁接合帯
16、17、50  固着点
18、19  印刷要素
20  連続着色領域
21  中央部区分
22  長手方向中心線
23  側部区分
24  側方縁部
25  側方縁部
26  最大長さ
27  非連続着色領域
28  印刷されていない領域
30  最大長さ
32  周縁部
x  長手方向
y  短手方向
【図１−２Ｂ】
0006584667.tif 000002
【図３】
0006584667.tif 000003
【図４】
0006584667.tif 000004
【図５】
0006584667.tif 000005
【図６】
0006584667.tif 000006